(57)【要約】【課題】    宣伝効果を有するデジタルデータ記録媒体包装体を提供する。【解決手段】背面硬質シート、デジタルデータが記録されているデジタルデータ記録媒体、当該デジタルデータ記録媒体のデジタルデータに関する情報を外部に表示する表示部を有する前面硬質シートをこの順に有する積層体からなるデジタルデータ記録媒体包装体であって、該背面硬質シートと該前面硬質シートとの間に、該デジタルデータ記録媒体包装体の提供者とは異なる営業者の商品もしくはサービスに関する紙葉状広告媒体もしくはクーポン券が収容されているデジタルデータ記録媒体包装体。【選択図】        図１
2004217225.tif 000002
【特許請求の範囲】
【請求項１】
背面硬質シート、デジタルデータが記録されているデジタルデータ記録媒体、当該デジタルデータ記録媒体のデジタルデータに関する情報を外部に表示する表示部を有する前面硬質シートをこの順に有する積層体からなるデジタルデータ記録媒体包装体であって、該背面硬質シートと該前面硬質シートとの間に、該デジタルデータ記録媒体包装体の提供者とは異なる営業者の商品もしくはサービスに関する紙葉状広告媒体もしくはクーポン券が収容されていることを特徴とするデジタルデータ記録媒体包装体。
【請求項２】
該背面硬質シート及び該前面硬質シートの少なくとも一方の内側面に袋部が備えられていて、上記紙葉状広告媒体もしくはクーポン券が該袋部に収容されている請求項１に記載のデジタルデータ記録媒体包装体。
【請求項３】
デジタルデータが記録されているデジタルデータ記録媒体が箱体の内部に収容されてなるデジタルデータ記録媒体包装体であって、該箱体の少なくとも一つの面には当該デジタルデータ記録媒体のデジタルデータに関する情報を外部に表示する表示部が設けられており、該箱体の内部にはさらに、該デジタルデータ記録媒体包装体の提供者とは異なる営業者の商品もしくはサービスに関する紙葉状広告媒体もしくはクーポン券あるいは商品見本が収容されていることを特徴とするデジタルデータ記録媒体包装体。
【請求項４】
デジタルデータが記録されているデジタルデータ記録媒体が袋体の内部に収容されてなるデジタルデータ記録媒体包装体であって、該袋体の少なくとも一つの面には当該デジタルデータ記録媒体のデジタルデータに関する情報を外部に表示する表示部が設けられており、該袋体の内部にはさらに、該デジタルデータ記録媒体包装体の提供者とは異なる営業者の商品もしくはサービスに関する紙葉状広告媒体もしくはクーポン券あるいは商品見本が収容されていることを特徴とするデジタルデータ記録媒体包装体。
【発明の詳細な説明】
【０００１】
【発明の属する技術分野】
本発明は、音楽、画像、及びコンピュータプログラムなどの各種データがデジタルデータとして記録されているデジタルデータ記録媒体の包装体に関するものである。
【０００２】
【従来の技術】
デジタルデータ記録媒体は、一般に、所定の包装用容器に収容、包装されて輸送、販売されている。デジタルデータ記録媒体包装体の外部には、通常、そこに収容されているデジタルデータ記録媒体のデジタルデータに関連する情報（例えば、タイトルや制作者など）が表示されている。
【０００３】
従来より、デジタルデータ記録媒体包装体のコスト低減を目的として、その外部に広告を掲載することが検討されている。
例えば、特許文献１には、ビデオや音楽類のテープカセット、ＣＤカセット、ＬＤカセット等を収納するカセットケース本体の表面に、透明シートの両側を固定し、カセットケース本体と透明シートとの間にタイトル等を印刷した表紙を収納したカセットケースにおいて、上記表紙に所定期間の契約で広告類を掲載した広告付きカセットケースが提案されている。
【０００４】
【特許文献１】
実開平６−６９１９１号公報
【０００５】
【発明が解決しようとする課題】
デジタルデータ記録媒体包装体の外部から見える場所に広告を掲載すれば、その宣伝効果は大きい。しかしながら、そこに本来は表示されるべきデジタルデータ記録媒体のデータ関連情報が外部から見えなくとなると、デジタルデータ記録媒体を購入しようとする者に不要な誤解や混乱を生じさせるおそれがある。
従って、本発明の課題は、デジタルデータ記録媒体を購入しようとする者に不要な誤解や混乱を生じさせることなく、宣伝効果を持たせることができるデジタルデータ記録媒体包装体を提供することにある。
【０００６】
【課題を解決するための手段】
本発明は、背面硬質シート、デジタルデータが記録されているデジタルデータ記録媒体、当該デジタルデータ記録媒体のデジタルデータに関する情報を外部に表示する表示部を有する前面硬質シートをこの順に有する積層体からなるデジタルデータ記録媒体包装体であって、該背面硬質シートと該前面硬質シートとの間に、該デジタルデータ記録媒体包装体の提供者とは異なる営業者の商品もしくはサービスに関する紙葉状広告媒体もしくはクーポン券が収容されていることを特徴とするデジタルデータ記録媒体包装体にある。
【０００７】
上記デジタルデータ記録媒体包装体において、紙葉状広告媒体もしくはクーポン券の収容場所は、背面硬質シートとデジタルデータ記録媒体との間であっても、デジタルデータ記録媒体と前面硬質シートとの間であってもよい。また、背面硬質シート及び該前面硬質シートの少なくとも一方の内側面に袋部を設けて、紙葉状広告媒体もしくはクーポン券をその袋部に収容してもよい。
【０００８】
本発明はまた、デジタルデータが記録されているデジタルデータ記録媒体が箱体の内部に収容されてなるデジタルデータ記録媒体包装体であって、該箱体の少なくとも一つの面には当該デジタルデータ記録媒体のデジタルデータに関する情報を外部に表示する表示部が設けられており、該箱体の内部にはさらに、該デジタルデータ記録媒体包装体の提供者とは異なる営業者の商品もしくはサービスに関する紙葉状広告媒体もしくはクーポン券あるいは商品見本が収容されていることを特徴とするデジタルデータ記録媒体包装体にもある。
【０００９】
本発明はさらに、デジタルデータが記録されているデジタルデータ記録媒体が袋体の内部に収容されてなるデジタルデータ記録媒体包装体であって、該袋体の少なくとも一つの面には当該デジタルデータ記録媒体のデジタルデータに関する情報を外部に表示する表示部が設けられており、該袋体の内部にはさらに、該デジタルデータ記録媒体包装体の提供者とは異なる営業者の商品もしくはサービスに関する紙葉状広告媒体もしくはクーポン券あるいは商品見本が収容されていることを特徴とするデジタルデータ記録媒体包装体にもある。
【００１０】
【発明の実施の形態】
本発明のデジタルデータ記録媒体包装体は、外部に、そこに収容されているデジタルデータ記録媒体のデジタルデータに関連する情報が表示されている点では、従来の包装体と同じである。本発明の包装体はその内部に、デジタルデータ記録媒体と共に、包装体の提供者とは異なる営業者の商品もしくはサービスに関する紙葉状広告媒体もしくはクーポン券あるいは商品見本が収容されている点に特徴がある。なお、本発明の包装体にはさらに、デジタルデータ記録媒体またはその包装体の提供者の商品もしくはサービスに関する紙葉状広告媒体もしくはクーポン券あるいは商品見本が収容されていてもよい。
【００１１】
本発明の包装体に収容されるデジタルデータ記録媒体は、音楽、画像（例えば、映画）、及びコンピュータプログラムなどの各種情報がデジタルデータとして記録されているものであれば、特には制限はない。記録媒体の具体的な例としてとしては、ＣＤ（コンパクト・ディスク）、ＤＶＤ（デジタル・バーサタイル・ディスク）、ＭＤ（ミニ・ディスク）、及びＬＤ（レーザー・ディスク）を挙げることができる。
【００１２】
紙葉状広告媒体は、商品もしくはサービスを紹介するための印刷物である。クーポン券は、商品もしくはサービスの割引券、引き替え券などの印刷物である。
紙葉状広告媒体及びクーポン券は、紙片であっても冊子であってもよい。商品見本は、商品それ自体であってもよいし、試供品及び模型であってもよい。
【００１３】
本発明の包装体の構成としては、デジタルデータ記録媒体と紙葉状広告媒体もしくはクーポン券とが背面硬質シートと前面硬質シートとの間に収容されている積層体型、デジタルデータ記録媒体と紙葉状広告媒体もしくはクーポン券あるいは商品見本とが箱体に収容されている箱体型、あるいはデジタルデータ記録媒体と紙葉状広告媒体もしくはクーポン券あるいは商品見本とが袋体に収容されている袋体型がある。以下、これら包装体の構成の例について、添付図面を参照しながら説明する。
【００１４】
図１は、本発明に従う包装体（積層体型）の一例の構成を示す図である。
図１において、包装体はデジタルデータ記録媒体１、紙葉状広告媒体２、中央にデジタルデータ記録媒体を収容するための窪み１０を備えた背面硬質シート１１、そして背面硬質シートの端部にて回転軸１２を介して接続している前面硬質シート１３からなる。前面硬質シート１３は、透明なプラスチック材料から形成されており、その周辺部に形成されている側壁１４の突起１５と前面硬質シートとの間に、デジタルデータ記録媒体１のデジタルデータに関する情報が記載されている表紙１６を固定できるようになっている。デジタルデータ記録媒体１は、背面硬質シート１１の窪み１０に収容される。紙葉状広告媒体２は、デジタルデータ記録媒体１と前面硬質シート１３との間に収容される。
【００１５】
図２は、本発明に従う包装体（積層体型）の別の一例の構成を示す図である。
図２において、包装体はデジタルデータ記録媒体１、紙葉状広告媒体２、デジタルデータ記録媒体を収容するための窪み２０を備えたデジタルデータ記録媒体収容部材２１、収納部材２１の収容面の反対側の面に固定されている背面形成片２２、背面形成片の端部にて折り曲げ可能に接続している側面形成片２３、及び側面形成片の背面形成片の反対側の側部に折り曲げ可能に接続している前面形成片２４からなる硬質シート２５から構成されている。前面形成片２４の外側面（前面形成片２４を収容部材２１側に折り曲げたときに収容部材２２と接する面と反対側の面）にはデジタルデータ記録媒体１に記録されているデジタルデータに関する情報が印刷されている。デジタルデータ記録媒体１は、デジタルデータ記録媒体収容部材２１の窪み２０に収容される。紙葉状広告媒体２は、デジタルデータ記録媒体１と前面形成片２４との間に収容される。
【００１６】
図３は、本発明に従う包装体（積層体型）のさらに別の一例の構成を示す図である。
図３において、包装体はデジタルデータ記録媒体１、紙葉状広告媒体２、デジタルデータ記録媒体を収容するための窪み３０を備えたデジタルデータ記録媒体収容部材３１、収納部材３１の収容面の反対側の面に固定されている背面形成片３２、背面形成片の端部にて折り曲げ可能に接続している側面形成片３３、及び側面形成片の背面形成片の反対側の側部に折り曲げ可能に接続している前面形成片３４からなる硬質シート３５から構成されている。前面形成片３４の内側面（前面形成片３４を収容部材３１側に折り曲げたときに収容部材３１と接する面）には袋部３６が備えられていて、その内側面の反対側の面（外側面）にはデジタルデータ記録媒体１に記録されているデジタルデータに関する情報が印刷されている。デジタルデータ記録媒体１は、デジタルデータ記録媒体収容部材３１の窪み３０に収容される。紙葉状広告媒体２は、前面形成片３４の袋部３６に収容される。
【００１７】
図４は、本発明に従う包装体（箱体型）の一例の構成を示す図である。
図４において、包装体はデジタルデータ記録媒体１、商品見本３、及び上部が開口した収容部材４０と蓋部材４１とからなる箱体４２から構成されている。蓋部材４１は四角管状であり、その表面には、デジタルデータ記録媒体１のデジタルデータに関する情報（例えば、タイトルや制作者など）Ａが印刷されている。
デジタルデータ記録媒体１は保護袋４３により保護され、商品見本３は収容部材４０の中に設置された仕切り板４４により固定されて、箱体４２に収容される。
【００１８】
図５は、本発明に従う包装体（袋体型）の一例の構成を示す図である。
図５において、包装体は、デジタルデータ記録媒体１、商品見本３、及び手提げ袋５０からなる。手提げ袋５０の表面には、デジタルデータ記録媒体１のデジタルデータに関する情報Ａが表示されている。デジタルデータ記録媒体１は保護袋５１に入れられて、商品見本３と共に手提げ袋５０に収容される。
【００１９】
【発明の効果】
本発明のデジタルデータ記録媒体包装体は、紙葉状広告媒体等による宣伝効果を有しながらも、外部から見える場所に、その中に収容されているデジタルデータ記録媒体のデジタルデータに関連する情報を外部から確認することができるので、デジタルデータ記録媒体を購入しようとする者に不要な誤解や混乱を生じさせることがほとんどない。
【図面の簡単な説明】
【図１】本発明に従うデジタルデータ記録媒体包装体（積層体型）の一例の構成を示す図である。
【図２】本発明に従うデジタルデータ記録媒体包装体（積層体型）の別の一例の構成を示す図である。
【図３】本発明に従うデジタルデータ記録媒体包装体（積層体型）のさらに別の一例の構成を示す図である。
【図４】本発明に従うデジタルデータ記録媒体包装体（箱体型）の一例の構成を示す図である。
【図５】本発明に従うデジタルデータ記録媒体包装体（袋体型）の一例の構成を示す図である。
【符号の説明】
１  デジタルデータ記録媒体
２  紙葉状広告媒体
３  商品見本
１０  窪み
１１  背面硬質シート
１２  回転軸
１３  前面硬質シート
１４  側壁
１５  突起
１６  表紙
２０  窪み
２１  デジタルデータ記録媒体収容部材
２２  背面形成片
２３  側面形成片
２４  前面形成片
２５  硬質シート
３０  窪み
３１  デジタルデータ記録媒体収容部材
３２  背面形成片
３３  側面形成片
３４  前面形成片
３５  硬質シート
３６  袋部
４０  収容部材
４１  蓋部材
４２  箱体
４３  保護袋
４４  仕切り板
５０  手提げ袋
５１  保護袋
Ａ  デジタルデータ記録媒体のデジタルデータに関する情報
【図１】
2004217225.tif 000003
【図２】
2004217225.tif 000004
【図３】
2004217225.tif 000005
【図４】
2004217225.tif 000006
【図５】
2004217225.tif 000007